(57)【要約】【課題】画像を消去後に、ユーザが消去したシートをサイズ毎に分類する作業をすることなく、リユースシートをサイズ毎に分類する画像消去装置及び画像消去方法を提供する。【解決手段】実施形態の画像消去装置は、記録媒体の画像を消去する消去部と、前記消去部で前記画像を消去した前記記録媒体を複数のサイズを混在して載置可能なストック部と、前記ストック部から排紙方向に前記記録媒体を搬送する搬送部と、前記搬送部に搬送される前記記録媒体を収納する排紙部と、前記搬送部で前記記録媒体を搬送する間に、同じサイズの記録媒体を分類して前記排紙部に積み重ねるよう、前記搬送部を制御する制御部とを備える。【選択図】図１
2014133631.tif 000002
【特許請求の範囲】
【請求項１】
記録媒体の画像を消去する消去部と、
前記消去部で前記画像を消去した前記記録媒体を複数のサイズを混在して載置可能なストック部と、
前記ストック部から排紙方向に前記記録媒体を搬送する搬送部と、
前記搬送部に搬送される前記記録媒体を収納する排紙部と、
前記搬送部で前記記録媒体を搬送する間に、同じサイズの記録媒体を分類して前記排紙部に積み重ねるよう、前記搬送部を制御する制御部とを具備することを特徴とする画像消去装置。
【請求項２】
前記制御部は、前記記録媒体をサイズの大きい順に分類して、前記記録媒体を前記サイズの大きい順に前記排紙部の下から積み重ねるよう前記搬送部を制御することを特徴とする請求項１に記載の画像消去装置。
【請求項３】
前記消去部で前記画像を消去した前記記録媒体を識別する識別部を更に備え、
前記制御部は、前記識別部の識別結果を用いて前記搬送部を制御することを特徴とする請求項１または請求項２に記載の画像消去装置。
【請求項４】
前記識別部は、前記消去部で消去した前記記録媒体の搬送順に対する前記記録媒体のサイズを記憶する記憶部を備えることを特徴とする請求項３に記載の画像消去装置。
【請求項５】
前記搬送部は、前記記録媒体を前記ストック部から前記排紙部に搬送する第１の搬送路及び前記記録媒体を前記ストック部から再度前記ストック部に搬送する第２の搬送路を備えることを特徴とする請求項１乃至請求項４のいずれか１つに記載の画像消去装置。
【請求項６】
記録媒体の画像を消去する工程と、
前記画像を消去した前記記録媒体を複数のサイズを混在してストックする工程と、
前記ストックした前記記録媒体から同じサイズの前記記録媒体を分類して排紙方向に搬送する工程と、
前記搬送される前記記録媒体をサイズ毎に重ねて排紙部に収納する工程とを具備することを特徴とする画像消去方法。
【発明の詳細な説明】
【技術分野】
【０００１】
実施形態は、シートをリユースするためにシート上の画像を消去する、画像消去装置及び画像消去方法に関する。
【背景技術】
【０００２】
画像形成に用いたシートをリユースするために、シートに形成される画像を消去後に、そのままシートを排出する画像消去装置がある。しかしながら、画像を消去するシートが複数サイズ混在した場合には、画像消去後にシートをそのまま排紙すると、ユーザは、排紙されたシートをサイズ毎に振り分けなければならない。ユーザによる画像消去後のシートの振り分けに手間がかかる。
【先行技術文献】
【特許文献】
【０００３】
【特許文献１】特開２０１０−１１３３３７号公報
【発明の概要】
【発明が解決しようとする課題】
【０００４】
この発明が解決しようとする課題は、画像を消去したシートをサイズ毎に分類して排紙することにより、ユーザによるリユースするシートのサイズ毎の分類作業を不要とする画像消去装置及び画像消去方法を提供することである。
【課題を解決するための手段】
【０００５】
上記課題を達成するために、実施形態の画像消去装置は、記録媒体の画像を消去する消去部と、前記消去部で前記画像を消去した前記記録媒体を複数のサイズを混在して載置可能なストック部と、前記ストック部から排紙方向に前記記録媒体を搬送する搬送部と、前記搬送部に搬送される前記記録媒体を収納する排紙部と、前記搬送部で前記記録媒体を搬送する間に、同じサイズの記録媒体を分類して前記排紙部に積み重ねるよう、前記搬送部を制御する制御部とを備える。
【図面の簡単な説明】
【０００６】
【図１】第１の実施形態の消去装置を示す概略構成図。
【図２】第１の実施形態の消去装置のシートの分類を主体とする制御系を示す概略ブロック図。
【図３】第１の実施形態において分類部でのシートのサイズ毎の分類操作を示すフローチャート。
【図４】第２の実施形態の消去装置を示す概略構成図。
【図５】第２の実施形態において分類部でのシートのサイズ毎の分類操作を示すフローチャート。
【発明を実施するための形態】
【０００７】
以下、実施形態について説明する。
【０００８】
（第１の実施形態）
第１の実施形態の画像消去装置について図１乃至図３を参照して説明する。図１は、第１の実施形態の画像消去装置の一例である消去装置１０を示す。消去装置１０は、例えば、操作ボタン及び表示部を備えるコントロールパネル１０ａ、記録媒体であるシートＰ上に形成される消去（消色）可能である画像を消去する消去部１１と、消去部１１で画像を消去したシートＰをサイズ毎に分類する分類部１２と、リユースできないシートＰを回収するリジェクト箱１３を備える。消去装置１０は、全体を制御する制御部であるＣＰＵ１００を備える。
【０００９】
消去部１１は、給紙トレイ１５、スキャナ部１６、消去機構１７、第１消去搬送部１８ａ、第２消去搬送部１８ｂ、第３消去搬送部１８ｃ及び第４消去搬送部１８ｄを備える。第１消去搬送部１８ａは、給紙トレイ１５からスキャナ部１６を経て第１の分岐部２０ａに到る。第２消去搬送部１８ｂは、第１分岐部２０ａから消去機構１７を経て第２分岐部２０ｂに到る。第３消去搬送部１８ｃは、第１分岐部２０ａから分類分岐部２２に到る。
【００１０】
第４消去搬送部１８ｄは、第１分岐部２０ａから分類分岐部２２を経てリジェクト箱１３に到る。
【００１１】
給紙トレイ１５は画像を消去するためのシートＰを積載する。消去部１１は、給紙トレイ１５に積載したシートＰをピックアップローラ１５ａで取り出し、分離ローラ１５ｂで１枚ずつ分離してスキャナ部１６に搬送する。スキャナ部１６は、第１スキャナ部１６ａ及び第２スキャナ部１６ｂを備える。第１スキャナ部１６ａと第２スキャナ部１６ｂは、第１消去搬送部１８ａを挟んで対向する。第１スキャナ部１６ａと第２スキャナ部１６ｂは、例えば、ＣＣＤ（Ｃｈａｒｇｅ  Ｃｏｕｐｌｅｄ  Ｄｅｖｉｃｅ）スキャナあるいはＣＭＯＳセンサ等の読取ユニットを備える。例えば第１スキャナ部１６ａは、第１消去搬送部１８ａを通過するシートＰの裏面の画像を読取り、第２スキャナ部１６ｂは、第１消去搬送部１８ａを通過するシートＰの表面の画像を読取る。例えば第２スキャナ部１６ｂは、消去機構１７で消去したシートＰのデータとして、シートＰのサイズを読取る。
【００１２】
消去機構１７は、第２消去搬送部１８ｂにより消去機構１７を通過するシートＰの画像を消去する。消去機構１７は、例えば、シートＰを画像の消去温度まで加熱して、シートＰに形成される画像を消去する。
【００１３】
分類部１２は、ストック部であり載置部である上段ストック箱２３と下段ストック箱２４、排紙部である排紙箱２７及び搬送部である第１分類搬送部２８ａ、第２分類搬送部２８ｂ及び第３分類搬送部２８ｃを備える。
【００１４】
第１分類搬送部２８ａは、第１の搬送路を構成し上段ストック箱２３或いは下段ストック箱２４から分類分岐部２２を経て排紙箱２７に到る。第２分類搬送部２８ｂは、下段ストック箱２４から分類分岐部２２を経て上段ストック箱２３に至る、第３分類搬送部２８ｃは、上段ストック箱２３から分類分岐部２２を経て下段ストック箱２４に至る。第２分類搬送部２８ｂ、第３分類搬送部２８ｃは、第２の搬送路を構成する。
【００１５】
上段ストック箱２３及び下段ストック箱２４は、例えば消去部１１で画像を消去した順番のまま、複数のサイズが混在した状態でシートＰを載置する。上段ストック箱２３は、画像消去後に矢印ｑ方向から搬送される全てのシートＰを一端載置する。上段ストック箱２３に載置されたシートＰは矢印ｒ方向に取り出され、矢印ｖ方向の排紙方向に搬送される。
【００１６】
分類部１２は、上段ストック箱２３から排紙方向に搬送したシートＰのうち、排紙箱２７に収納したシートＰを除いて、矢印ｓ方向から下段ストック箱２４に載置する。分類部１２は、下段ストック箱２４に載置されたシートＰを矢印ｔ方向に取り出し、矢印ｖ方向の排紙方向に搬送する。分類部１２は、下段ストック箱２４から排紙方向に搬送したシートＰのうち、排紙箱２７に収納したシートＰを除いて、矢印ｑ方向から上段ストック箱２３に載置する。
【００１７】
全てのシートＰをサイズ毎に分類し終わるまで、分類部１２は、上段ストック箱２３と下段ストック箱２４に、交互にシートＰを載置する。排紙箱２７は、上段ストック箱２３或いは下段ストック箱２４内のシートＰから分類された、同じサイズのシートＰを、サイズの大きい順に下から重ねて収納する。
【００１８】
図２を参照して、消去装置１０のシートの分類を主体とする制御系５０について説明する。制御系５０は、例えば、ＣＰＵ１００、記憶部であるＲＯＭ１０１及びＲＡＭ１０２、消去部駆動部１０３、分類部駆動部１０４、スキャナ部１６を備える。
【００１９】
ＣＰＵ１００は、ＲＯＭ１０１或いはＲＡＭ１０２に記憶されるプログラムを実行し、画像の消去及び画像を消去した後のシートのサイズ毎の分類を実現する。ＲＯＭ１０１は、消去装置１０の基本的な動作を司る制御プログラム及び制御データなどを記憶する。ＲＡＭ１０２は、ＣＰＵ１００が各種の処理を行う上で必要となる各種の情報を格納する。ＲＡＭ１０２は、例えば第２スキャナ部１６ｂで読取ったシートＰを識別するＩＤを記憶する。第２スキャナ部１６ｂとＲＡＭ１０２は識別部を構成する。
【００２０】
シートＰを識別するＩＤは、第２スキャナ部１６ｂへの搬送順とシートのサイズを備える。上段ストック箱２３或いは下段ストック箱２４から搬送されたシートＰは、任意の同じサイズのシートＰを全て排紙箱２７に排紙した残りを、上段ストック箱２３或いは下段ストック箱２４に戻される。任意の同じサイズのシートＰが途中で排紙箱２７に排紙されても、ＩＤは、上段ストック箱２３或いは下段ストック箱２４に戻されたシートＰを識別する。例えば任意の同じサイズのシートＰを排紙箱２７に排紙した場合には、排紙したシートＰのＩＤを削除するようＲＡＭ１０２を更新する。
【００２１】
消去装置は限定されない。例えば消去部は、画像の消去を行わずにスキャナ部でシートの画像データを読取るのみであっても良い。画像の消去方法も、熱ではなく光を照射し、或いは化学反応により画像を消去しても良い。
【００２２】
画像を消去したいユーザは、給紙トレイ１５にシートＰをセットして、コントロールパネル１０ａから消去操作をスタートする。ＣＰＵ１００の制御により消去装置１０は、ピックアップローラ１５ａ、及び分離ローラ１５ｂ及び第１消去搬送部１８ａによりシートＰをスキャナ部１６に搬送する。スキャナ部１６でのシートＰの読取り結果から、リユース可能であれば消去装置１０はシートＰを消去機構１７に搬送し、リユース不可能であれば消去装置１０はシートＰをリジェクト箱１３に排紙する。
【００２３】
消去装置１０は、消去機構１７で画像を消去したシートＰを再度スキャナ部１６に搬送してシートＰを読取る。ＣＰＵ１００は、画像消去後にスキャナ部１６で読取った読取りデータから、シートＰがリユース可能で有るか、リユース不可能で有るかを判断する。リユース不可能であれば消去装置１０はシートＰをリジェクト箱１３に排紙する。
【００２４】
画像消去後のシートＰがリユース可能であれば、ＣＰＵ１００は、第２スキャナ部１６ｂで読取ったデータから、シートＰを識別するＩＤを順次ＲＡＭ１０２に記憶させる。ＣＰＵ１００は、ＩＤに従いリユース可能のシートＰをサイズ毎に分類するよう、分類部１２を制御する。消去部１１で画像を消去したリユース可能のシートＰを、分類部１２でＡ３サイズ、Ｂ４サイズ、Ａ４サイズのサイズ毎に分類する操作を、図３に示すフローチャートを参照して説明する。
【００２５】
消去機構１７で画像を消去した後、スキャナ部１６は再度シートＰをスキャンする（ＡＣＴ１１０）。スキャン結果からシートＰがリユース可能であれば、ＣＰＵ１００は、第２スキャナ部１６ｂで読取ったデータから、シートＰを識別するＩＤをシートＰ毎にＲＡＭ１０２に記憶させる（ＡＣＴ１１１）。消去装置１０は、リユース可能なシートＰを、画像を消去した順に、上段ストック箱２３に載置する。上段ストック箱２３には複数サイズのシートＰが混在する。ＣＰＵ１００は、ＲＡＭ１０２に記憶したＩＤにより、上段ストック箱２３に混在するシートＰの搬送順とサイズを識別する。
【００２６】
画像を消去した全シートＰの再スキャンを完了すると（ＡＣＴ１１２でＹｅｓ．）、ＣＰＵ１００は、ＲＡＭ１０２に記憶されるＩＤを参照して、シートサイズの大きい順にシートＰを分類するよう分類部１２を制御する。分類部１２は、初めに、上段ストック箱２３に載置されたシートＰから例えばＡ３サイズ（ＪＩＳ規格）のシートＰ１を分類する。
【００２７】
分類部１２は、上段ストック箱２３に積載されるシートＰを順次分類分岐部２２方向に搬送する（ＡＣＴ１１３）。上段ストック箱２３からのシートＰの搬送が有り（ＡＣＴ１１４でＮｏ．）、ＩＤによりシートＰのサイズがＡ３サイズと判明すれば（ＡＣＴ１１６でＹｅｓ．）、分類部１２は、分類分岐部２２を第１分類搬送部２８ａ方向に向けて、Ａ３サイズのシートＰ１を排紙箱２７に排紙する（ＡＣＴ１１７）。
【００２８】
上段ストック箱２３から搬送したシートＰのサイズがＡ３サイズ以外であれば（ＡＣＴ１１６でＮｏ．）、分類部１２は、分類分岐部２２を第３分類搬送部２８ｃ方向に向けて、シートＰを下段ストック箱２４に載置する（ＡＣＴ１１８）。上段ストック箱２３内の全てのシートＰの搬送を完了したら（ＡＣＴ１１４でＹｅｓ．）、ＣＰＵ１００は、ＡＣＴ１２１に進む。上段ストック箱２３内の全てのシートＰの搬送の完了時（ＡＣＴ１１４でＹｅｓ．）、排紙箱２７は、上段ストック箱２３にあった全てのＡ３サイズのシートＰ１を収納する。上段ストック箱２３内の全てのシートＰの搬送の完了時（ＡＣＴ１１４でＹｅｓ．）、下段ストック箱２４に戻されるシートＰは、複数サイズが混在する。ＣＰＵ１００は、下段ストック箱２４内のシートＰの搬送順とサイズを、ＲＡＭ１０２が記憶する更新したＩＤにより識別する。
【００２９】
ＡＣＴ１２１で、分類部１２は、次に大きい例えばＢ４サイズ（ＪＩＳ規格）のシートＰ２の分類を開始する。分類部１２は、下段ストック箱２４に積載されるシートＰを順次分類分岐部２２方向に搬送する（ＡＣＴ１２１）。下段ストック箱２４からのシートＰの搬送が有り（ＡＣＴ１２２でＮｏ．）、ＩＤによりシートＰのサイズがＢ４サイズと判明すれば（ＡＣＴ１２３でＹｅｓ．）、分類部１２は、分類分岐部２２を第１分類搬送部２８ａ方向に向けて、シートＰを排紙箱２７に排紙する（ＡＣＴ１２４）。
【００３０】
下段ストック箱２４から搬送したシートＰのサイズがＢ４サイズ以外であれば（ＡＣＴ１２３でＮｏ．）、分類部１２は、分類分岐部２２を第２分類搬送部２８ｂ方向に向けて、シートＰを上段ストック箱２３に載置する（ＡＣＴ１２５）。下段ストック箱２４内の全てのシートＰの搬送を完了したら（ＡＣＴ１２２でＹｅｓ．）、ＡＣＴ１２７に進む。
【００３１】
下段ストック箱２４内の全てのシートＰの搬送の完了時（ＡＣＴ１２２でＹｅｓ．）、分類部１２は、下段ストック箱２４にあった全てのＢ４サイズのシートＰ２を、Ａ３サイズのシートＰ１の上に重ねた状態で排紙箱２７に収納する。下段ストック箱２４内の全てのシートＰの搬送の完了時（ＡＣＴ１２２でＹｅｓ．）、ＣＰＵ１００は、上段ストック箱２３上に戻されるシートＰの順番とサイズを、ＲＡＭ１０２が記憶する更新したＩＤにより識別する。但しこの時点で上段ストック箱２３上に戻されるシートＰは、たとえば残りサイズのＡ４サイズのみとなる。
【００３２】
ＡＣＴ１２７に進むと、分類部１２は、例えば残りサイズのＡ４サイズ（ＪＩＳ規格）のシートＰ３の分類を開始する。分類部１２は、上段ストック箱２３内のシートＰを順次分類分岐部２２方向に搬送する（ＡＣＴ１２７）。上段ストック箱２３からのシートＰの搬送が有り（ＡＣＴ１２８でＮｏ．）、ＩＤによりシートＰのサイズがＡ４サイズと判明すれば（ＡＣＴ１３０でＹｅｓ．）、分類部１２は、分類分岐部２２を第１分類搬送部２８ａ方向に向けて、シートＰを排紙箱２７に排紙する（ＡＣＴ１３１）。
【００３３】
もしも上段ストック箱２３から搬送したシートＰのサイズがＡ４サイズ以外であれば（ＡＣＴ１３０でＮｏ．）、分類部１２は、分類分岐部２２を第４消去搬送部１８ｄ方向に向けて、シートＰをリジェクト箱１３に排紙する（ＡＣＴ１３２）。上段ストック箱２３内の全てのシートＰの搬送を完了したら（ＡＣＴ１２８でＹｅｓ．）、分類部１２は、画像を消去したリユース可能のシートのサイズ毎の分類を終了する。
【００３４】
上段ストック箱２３内の全てのシートＰの搬送の完了時（ＡＣＴ１２８でＹｅｓ．）、分類部１２は、上段ストック箱２３にあった全てのＡ４サイズのシートＰ３を、排紙箱２７の下から順に重ねられるＡ３サイズのシートＰ１及びＢ４サイズのシートＰ２の上に重ねる。上段ストック箱２３内の全てのシートＰの搬送の完了により（ＡＣＴ１２８でＹｅｓ．）、分類部１２は、画像を消去するために給紙トレイ１５にセットしたシートＰを、全て、排紙箱２７に収納し或いはリジェクト箱１３に排紙する。
【００３５】
給紙トレイ１５にセットしたシートＰの画像消去を全て完了したら、ユーザは排紙箱２７からリユース可能なシートＰを取り出す。排紙箱２７は、下から順に大きいサイズのＡ３サイズのシートＰ１、次に大きいサイズのＢ４サイズのシートＰ２、小さいサイズのＡ４サイズのシートＰ３を、サイズ毎に積み重ねた状態で収納する。
【００３６】
画像消去後にリユースするシートＰをユーザがサイズ毎に振り分ける操作が不要となる。ユーザは、排紙箱２７に積み重ねたシートＰを、小さいサイズからサイズ毎に順に取り出すことが出来る。尚、分類部１２で分類するシートのサイズは限定されず、Ａ５サイズ（ＪＩＳ規格）或いは葉書サイズ等を分類する等しても良い。
【００３７】
第１の実施形態によれば、消去装置１０の消去部１１で画像を消去したシートＰを、分類部１２でサイズ毎に分類して、複数サイズのシートＰを同じサイズ毎に排紙箱２７に積み重ねる。画像を消去してシートＰをリユースする場合に、ユーザは画像を消去したシートＰから必要とするサイズのシートＰを振り分ける手間を省ける。ユーザはリユースしたシートＰを使い易くなる。第１の実施形態によれば、リユース可能なシートＰを、大きいサイズから順に小さいサイズへと分類して排紙箱２７に積み重ねる。ユーザは、排紙箱２７内からサイズの小さい順にシートＰを容易に取り出すことが出来る。
【００３８】
（第２の実施形態）
第２の実施形態の画像形成装置を、図４及び図５を参照して説明する。第２の実施形態は、第１の実施形態において、排紙部の構造が異なり、シート分類後のシートの搬送先が異なるものである。第２の実施形態にあって、前述の第１の実施形態で説明した構成と同一構成については同一符号を付して詳細な説明を省略する。
【００３９】
図４に示すように、消去装置３０の分類部３２は排紙箱２７の他に排紙部として補助排紙箱３７を備える。分類部３２は、第１〜第３分類搬送部２８ａ〜２８ｃの他に、搬送部として、第４分類搬送部２８ｄを備える。第４分類搬送部２８ｄは、第１の搬送路を構成し、上段ストック箱２３或いは下段ストック箱２４から分類分岐部２２を経て補助排紙箱３７に到る。
【００４０】
排紙箱２７は、例えば上段ストック箱２３或いは下段ストック箱２４内のシートＰから分類した、メインサイズである例えばＡ４サイズのシートＰ３を収納する。補助排紙箱３７は、上段ストック箱２３或いは下段ストック箱２４内のシートＰから分類した、メインサイズのシートＰ以外のサイズのシートＰを、サイズの大きい順に下から重ねて収納する。
【００４１】
消去装置３０にて分類部３２は、各シートＰのＩＤを参照して、ユーザがリユースする頻度が一番高いサイズのシートＰのみを第１分類搬送部２８ａから排紙箱２７に収納する。分類部３２は、各シートＰのＩＤを参照して、リユースする頻度が一番高いサイズのシートＰを除くシートＰをサイズの大きい順に、第４分類搬送部２８ｄから補助排紙箱３７に重ねて収納する。ＣＰＵ１００は、ＩＤに従いリユース可能のシートＰをサイズ毎に分類するよう、分類部３２を制御する。消去部１１で画像を消去したリユース可能のシートＰを、分類部３２でＡ３サイズ、Ｂ４サイズ、Ａ４サイズのサイズ毎に分類する操作を、図５に示すフローチャートを参照して説明する。
【００４２】
ＣＰＵ１００は、ＡＣＴ１１０〜ＡＣＴ１１３までは第１の実施形態と同様に分類部３２を制御する。分類部３２は、ＡＣＴ１１３で上段ストック箱２３上のシートＰを順次分類分岐部２２方向に搬送する。上段ストック箱２３からのシートＰの搬送が有り（ＡＣＴ１５２でＮｏ．）、ＩＤによりシートＰのサイズがメインサイズのＡ４サイズと判明すれば（ＡＣＴ１５３でＹｅｓ．）、分類部３２は、分類分岐部２２を第１分類搬送部２８ａ方向に向けて、Ａ４サイズのシートＰ３を排紙箱２７に排紙する（ＡＣＴ１５４）。
【００４３】
上段ストック箱２３から搬送したシートＰのサイズがＡ４サイズ以外であれば（ＡＣＴ１５３でＮｏ．）、分類部３２は、分類分岐部２２を第３分類搬送部２８ｃ方向に向けて、シートＰを下段ストック箱２４に載置する（ＡＣＴ１５５）。上段ストック箱２３内の全てのシートＰの搬送を完了したら（ＡＣＴ１５２でＹｅｓ．）、ＣＰＵ１００は、ＡＣＴ１６１に進む。ＡＣＴ１６１で、分類部３２は、Ａ４サイズ以外のサイズのシートＰのサイズ毎の分類を行う。上段ストック箱２３内の全てのシートＰの搬送の完了時（ＡＣＴ１５２でＹｅｓ．）、分類部３２は、上段ストック箱２３にあった全てのＡ４サイズのシートを排紙箱２７に収納する。上段ストック箱２３内の全てのシートＰの搬送完了時（ＡＣＴ１５２でＹｅｓ．）、下段ストック箱２４に戻されるシートＰは、複数サイズが混在する。ＣＰＵ１００は、下段ストック箱２４内のシートＰの搬送順とサイズを、ＲＡＭ１０２が記憶する更新したＩＤにより識別する。
【００４４】
ＡＣＴ１６１以降、分類部３２は、例えば一番大きいＡ３サイズのシートＰ１の分類を開始する。分類部３２は、下段ストック箱２４に積載されるシートＰを順次分類分岐部２２方向に搬送する（ＡＣＴ１６１）。下段ストック箱２４からのシートＰの搬送が有り（ＡＣＴ１６２でＮｏ．）、ＩＤによりシートＰのサイズがＡ３サイズと判明すれば（ＡＣＴ１６３でＹｅｓ．）、分類部３２は、分類分岐部２２を第４分類搬送部２８ｄ方向に向けて、シートＰを補助排紙箱３７に排紙する（ＡＣＴ１６４）。
【００４５】
下段ストック箱２４から搬送したシートＰのサイズがＡ３サイズ以外であれば（ＡＣＴ１６３でＮｏ．）、分類部３２は、分類分岐部２２を第２分類搬送部２８ｂ方向に向けて、シートＰを上段ストック箱２３に載置する（ＡＣＴ１６５）。下段ストック箱２４内の全てのシートＰの搬送を完了したら（ＡＣＴ１６２でＹｅｓ．）、ＡＣＴ１７１に進む。
【００４６】
下段ストック箱２４内の全てのシートＰの搬送の完了時（ＡＣＴ１６２でＹｅｓ．）、分類部３２は、下段ストック箱２４にあった全てのＡ３サイズのシートＰ１を、補助排紙箱３７に収納する。下段ストック箱２４内の全てのシートＰの搬送の完了時（ＡＣＴ１６２でＹｅｓ．）、ＣＰＵ１００は、上段ストック箱２３上に戻されるシートＰの順番とサイズを、ＲＡＭ１０２が記憶する更新したＩＤにより識別する。但しこの時点で上段ストック箱２３上に戻されるシートＰは、たとえば残りサイズのＢ４サイズのみとなる。
【００４７】
ＡＣＴ１７１に進むと、分類部３２は、例えば残りサイズのＢ４サイズのシートＰ２の分類を開始する。分類部３２は、上段ストック箱２３内のシートＰを順次分類分岐部２２方向に搬送する（ＡＣＴ１７１）。上段ストック箱２３からのシートＰの搬送が有り（ＡＣＴ１７２でＮｏ．）、ＩＤによりシートＰのサイズがＢ４サイズと判明すれば（ＡＣＴ１７３でＹｅｓ．）、分類部３２は、分類分岐部２２を第４分類搬送部２８ｄ方向に向けて、シートＰを補助排紙箱３７に排紙する（ＡＣＴ１７４）。
【００４８】
もしも上段ストック箱２３から搬送したシートＰのサイズがＢ４サイズ以外であれば（ＡＣＴ１７３でＮｏ．）、分類部３２は、分類分岐部２２を第４消去搬送部１８ｄ方向に向けて、シートＰをリジェクト箱１３に排紙する（ＡＣＴ１７５）。上段ストック箱２３内の全てのシートＰの搬送を完了したら（ＡＣＴ１７２でＹｅｓ．）、分類部３２は、画像を消去したリユース可能のシートのサイズ毎の分類を終了する。
【００４９】
上段ストック箱２３内の全てのシートＰの搬送の完了時（ＡＣＴ１７２でＹｅｓ．）、分類部３２は、上段ストック箱２３にあった全てのＢ４サイズのシートＰ２を、補助排紙箱３７のＡ３サイズのシートＰ１の上に重ねる。上段ストック箱２３内の全てのシートＰの搬送の完了により（ＡＣＴ１７２でＹｅｓ．）、分類部３２は、画像を消去するために給紙トレイ１５にセットしたシートＰを、全て、排紙箱２７或いは補助排紙箱３７に収納し、或いはリジェクト箱１３に排紙する。分類部３２は、排紙箱２７にリユース可能なＡ４サイズのシートＰ３を収納し、補助排紙箱３７にＡ４サイズ以外のリユース可能なシートを収納し、リジェクト箱１３にリユース不可能なシートを排紙する。
【００５０】
給紙トレイ１５にセットしたシートＰの画像消去を全て完了したら、ユーザは排紙箱２７からリユース可能なメインサイズのＡ４サイズのシートＰ３を取り出し、メインサイズ以外のサイズのシートを補助排紙箱３７から取り出す。排紙箱２７を、Ａ４サイズ専用とすれば、排紙箱２７を例えばＡ４サイズのリユースシートＰ３専用の保管箱とすることも可能となる。尚、ユーザがリユースする頻度が一番高いメインサイズのシートはＡ４サイズのシートに限定されない。
【００５１】
第２の実施形態によれば、消去装置３０の消去部１１で画像を消去したシートＰを、分類部３２でサイズ毎に分類して、排紙箱２７には、メインサイズのＡ４サイズのシートＰ３のみを収納する。メインサイズ以外の複数サイズのシートＰは、同じサイズ毎に積み重ねて補助排紙箱３７に収納する。画像を消去してシートＰをリユースする場合に、ユーザは消去したシートＰから必要とするサイズのシートＰを振り分ける手間を省ける。ユーザはリユースしたシートＰを使い易くなる。消去装置３０は、リユースする頻度が高いメインサイズのシートを、他のサイズのシートＰと別に収納するので、使用頻度の高いリユースシートＰを、より容易に排紙箱２７から取り出すことが出来、リユースしたシートＰを使い易くなる。
【００５２】
以上説明した少なくとも１つの実施形態によれば、画像を消去した後に、ユーザが記録媒体をサイズ毎に分類する手間を省ける。ユーザは、リユースした記録媒体を使い易くなる。
【００５３】
以上説明した少なくとも１つの実施形態の消去装置にて、記録媒体をサイズ毎に分類する際に、記録媒体毎にサイズと結びつけて記憶されるＩＤを用いなくても良い。例えば消去装置の搬送部に記録媒体の長さ検知部を設けて、長さ検知部の検知結果を用いて記録媒体をサイズ毎に分類しても良い。
【００５４】
この発明のいくつかの実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【００５５】
１０…消去装置
１１…消去部
１２…分類部
１３…リジェクト箱
１６…スキャナ部
２２…分類分岐部
２３…上段ストック部
２４…下段ストック部
２７…排紙箱
２８ａ、２８ｂ、２８ｃ…第１〜第３分類搬送部
１００…ＣＰＵ
１０２…ＲＡＭ
【図１】
2014133631.tif 000003
【図２】
2014133631.tif 000004
【図３】
2014133631.tif 000005
【図４】
2014133631.tif 000006
【図５】
2014133631.tif 000007